(57)【要約】      （修正有）【課題】脚体の先端にサンプル収納部を形成し、このサンプル収納部にサンプル用筆記具を差し込んで置くことで、顧客は陳列されている筆記具を自由に試し書きが行えるので、陳列されている筆記具の書き味等を知ることができる商品吊り下げ陳列パネルを提供する。【解決手段】上記の脚体４は、脚体３より長さを長くすると共に先端にサンプル用筆記具７１を入れるためのサンプル収納部４１を形成する。また、脚体４の長さを長くすることで、サンプル収納部４１が前記した脚体３の先端より前方に突出することで、サンプル収納部４１に収納されているサンプル用筆記具７１の取り出しが容易に行えると共に、陳列されている筆記具７が邪魔になることがない。【選択図】図２
0003178770.tif 000002
【実用新案登録請求の範囲】
【請求項１】
商品を吊り下げるフックが形成されたパネルの下端に脚体を着脱自在に取付けた陳列パネルにおいて、前記脚体はパネルの下部に直交する方向に取付けられ、商品のサンプルを必要とする陳列パネルにあっては前記筐体の先端にサンプル挿入部を形成したことを特徴とする商品吊り下げ陳列パネル。
【請求項２】
前記サンプル挿入部が形成された脚部は、サンプル挿入部が存在しない脚体の先端より前記サンプル挿入部が前方に突出するような長さに形成されていることを特徴とする請求項１記載の商品吊り下げ陳列パネル。
【考案の詳細な説明】
【技術分野】
【０００１】
本考案は、脚体によって起立状態のパネルに包装袋に収納した商品をパネルに吊り下げて販売する方法と、筆記具等の吊り下げた商品の試し書きを顧客が望むような場合には、サンプル収納部を有する脚体と交換することで試し書きが行えるようにした商品吊り下げ陳列パネルに関する。
【背景技術】
【０００２】
従来における商品吊り下げ陳列パネルとしては、例えば、特開２００７−５４４６１号公報に開示されている発明がある。この発明は、フレームにフックを取付けると共にフレームの下端にスタンドを取付けて所望の位置に載置する。前記フレームに取付けた該フックに多芯筆記具を包装袋に入れた状態で吊り下げて販売に供するものである。
【０００３】
すなわち、前記包装袋には、複数本の筆記具が収納されていない軸筒と、該軸筒内に収納するのに適した複数種類の筆記具を個別に収納した包装袋を前記フックに吊り下げた状態で販売するものである。
【０００４】
このような販売方法により、顧客が多芯筆記具を最初に購入するとき、好みの筆記具の組み合わせのものが得られ、しかも、前記軸筒とそれに適正に対応した筆記具を容易に見つけ出すことができることから、顧客の好みの筆記具を選択して軸筒にセットすることで好みの多芯筆記具を得ることができるというものであった。
【先行技術文献】
【特許文献】
【０００５】
【特許文献１】特開２００７−５４４６１号公報
【考案の概要】
【考案が解決しようとする課題】
【０００６】
ところで、前記した陳列パネルにおいては、筆記具を購入する際に該筆記具の種類、例えば、硬めの書き味、柔らかめの書き味、水性ペンと油性ペン等での書き味の相違などから、購入者が自分に合った書き味を有しているかいなかを試し書きしたいと欲しても行えないといった問題がある。
【０００７】
本考案は前記した問題点を解決せんとするもので、その目的とするところは、脚体によって起立状態のパネルに包装袋に収納した商品をパネルに吊り下げて販売する方法と、筆記具等の吊り下げた商品の試し書きを顧客が望むような場合には、サンプル収納部を有する脚体と交換することで試し書きが行える商品吊り下げ陳列パネル筆記具提供せんとするにある。
【課題を解決するための手段】
【０００８】
本考案の商品釣り下げ陳列パネルは前記した目的を達成せんとするもので、請求項１の手段は、商品を吊り下げるフックが形成されたパネルの下端に脚体を着脱自在に取付けた陳列パネルにおいて、前記脚体はパネルの下部に直交する方向に取付けられ、商品のサンプルを必要とする陳列パネルにあっては前記筐体の先端にサンプル挿入部を形成したことを特徴とする。
【０００９】
請求項２の手段は、前記した請求項１において、パネルにサンプル挿入部が形成された脚部は、サンプル挿入部が存在しない脚体の先端より前記サンプル挿入部が前方に突出するような長さに形成されていることを特徴とする。
【考案の効果】
【００１０】
本考案は前記したように、サンプルを必要としない陳列パネルにあっては、サンプル収納部が存在しない脚体のみで構成することで、前記サンプル収納部が邪魔になることがなく、一方、サンプルを必要とする陳列パネルにあっては、サンプル収納部が形成された少なくとも１つの脚体を配置することで、該サンプル収納部に催置されたサンプル品を手に持って試し作業が行え満足度を高めることができる。
【００１１】
また、パネルにサンプル収納部が形成された脚部を、サンプル挿入部が存在しない脚体の先端より前記サンプル挿入部が前方に突出するような長さとしたことで、サンプルを取り出す時にパネルに吊り下げられている商品が邪魔になることがない等の効果を有するものである。
【図面の簡単な説明】
【００１２】
【図１】サンプルを必要としない商品を吊り下げ販売する場合の斜視図である。
【図２】脚体を交換してサンプルを収納した状態の斜視図である。
【考案を実施するための形態】
【００１３】
以下、本考案に係る商品吊り下げ陳列パネルの実施例を図１、図２と共に説明する。
１は合成樹脂で構成した箱状のパネルにして、前面側の水平方向に複数個のガイド溝１１（図示では２個）が形成されている。また、パネル１における下端の起立辺１２には少なくとも２個の中空状に形成され、かつ、丸形状以外の形状に形成された突起受け１３が上方に向かって一体的に形成されている。
【００１４】
２は前記パネルのガイド溝１１に対して脱着、かつ、スライド可能に形成されたフックにして、前方に向かって商品が収納された包装袋を吊り下げるための吊り下げ杆２１が一体的に形成されている。
【００１５】
３は合成樹脂で構成した棒状の脚体（実施例では角柱体）にして、該脚体３の一面の略中間部には前記パネル１の突起受け１３に脱着可能に嵌合される突起部３１が一体的に形成されている。
【００１６】
前記した少なくとも２本の脚体３における突起部３１を前記パネル１の突起受け１３に嵌合することで、パネル１は起立状態となるので展示棚に設置することが可能となる。そして、前記フック２の吊り下げ杆２１に包装袋に入れた商品を吊り下げることで商品の陳列を行うことができる。
【００１７】
ところで、前記した陳列方法にあっては、吊り下げ状態において商品を見ることで、如何なる商品であるかを顧客は確認することが可能であるが、商品が筆記具のような場合には、多様な外観デザインで形成された筆記具を収納袋に収納して陳列した場合に、顧客はその筆記具の書き味や色合いが如何なるものであるかの試し書きを望むものである。
【００１８】
そこで、収納袋６に入れた筆記具７を陳列するような場合には、図２に示すような脚体４を採用する。すなわち、この脚体４は、前記した脚体３より長さを長くすると共に先端にサンプル用筆記具７１を入れるためのサンプル収納部４１を形成する。また、脚体４の長さを長くすることで、サンプル収納部４１が前記した脚体３の先端より前方に突出することで、サンプル収納部４１に収納されているサンプル用筆記具７１の取り出しが容易に行えると共に、陳列されている筆記具７が邪魔になることがない。なお、４２は脚体３における突起部３１と同様な突起部である。
【００１９】
このように、脚体４の先端にサンプル収納部４１を形成し、このサンプル収納部４１にサンプル用筆記具７１を差し込んで置くことで、顧客は陳列されている筆記具７を自由に試し書きが行えるので、陳列されている筆記具７の書き味等を知ることができる。
【００２０】
なお、前記したフック２の吊り下げ杆２１に吊り下げられている筆記具７は、全て同じ芯を採用しボディーのデザイン等が異なるような筆記具とすることで、１つのサンプル用筆記具７で陳列されている全ての筆記具７の書き味等を知ることが可能となる。また、２つの脚体の双方をサンプル収納部４１付きの脚体４とすることで２種類のサンプルを提供することも可能である。
【００２１】
前記したサンプル収納部４１に収納するサンプルとしては筆記具に限定されるものではなく、顧客が手に持って見たり、試し操作することを望む商品の全てに応用することもできる。また、実施例では２本の脚体３，４をパネル１に取付けたものを示したが、多数の商品を吊り下げるためにパネル１の大きさを大きくしたり、商品個々の重量が重いような場合には、多数の脚体を取付けることも可能である。
【符号の説明】
【００２２】
１          パネル
２          フック
３          脚体
３，４      筐体
３１，４２  突起
４１        サンプル収納部
【図１】
0003178770.tif 000003
【図２】
0003178770.tif 000004